(57)【要約】【課題】４本の角筒を干渉させることなく転回させて４可変標示を実現する。【解決手段】角筒４と、シャフトガイド１１とを有している。角筒４は、同じ幅、同じ長さの４枚の縦長短冊状の表示板４ａ〜４ｄを筒状に組み合わせ、互いに隣接する表示板の各両側縁をシャフト６にて一定角度転回可能に連結したものであり、角筒４の各面には、特定の標識パターンの一部が標記され、複数本の角筒４，４の組の面がそろって特定の標識パターンが形成されている。シャフトガイド１１は、角筒の各表示板４ａ〜４ｄを転回可能に繋ぐ各シャフト６ａ〜６ｄの移動方向を規制し、複数本の角筒４，４の組を転回させるときに各角筒４，４を平行四辺形に変形させ、隣接する角筒４，４を相互に干渉させずに誘導するものである。【選択図】図５
2008095284.tif 000002
【特許請求の範囲】
【請求項１】
角筒と、シャフトガイドとを有する４可変標識であって、
角筒は、同じ幅、同じ長さの４枚の縦長短冊状の表示板を筒状に組み合わせ、互いに隣接する表示板の各両側縁をシャフトにて一定角度転回可能に連結したものであり、
角筒の各面には、特定の標識パターンの一部が標記され、複数本の角筒の組の面がそろって特定の標識パターンが形成されるものであり、
シャフトガイドは、角筒の各表示板を転回可能に繋ぐ各シャフトの移動方向を規制し、複数本の角筒の組を転回させるときに各角筒を平行四辺形に変形させ、隣接する角筒を相互に干渉させずに誘導するものであることを特徴とする４可変標識。
【請求項２】
前記４枚の表示板は、各シャフトを回転ペアとして結ばれた横断面が正四角形あるいは平行四辺形をなす四節回転連鎖を構成し、複数の角筒は、垂直姿勢または水平姿勢で並列に配列されるものであることを特徴とする請求項１に記載の４可変標識。
【請求項３】
前記複数の角筒は、前記４枚の表示板が形成する正四角形の横断面の横幅よりも広く、正四角形の対角線上の距離より狭い間隔で１列に配列されていることを特徴とする請求項１に記載の４可変標識。
【請求項４】
前記シャフトガイドは、溝カムであり、
溝カムは、前記角筒の表示板の横幅を基準に設定された平行溝部を有し、
平行溝部は、互いに隣接する２つの角筒間において、それぞれ対角線上に位置する２本のシャフトの端末を受入れ、互いに隣接する角筒間の間隔を一定の間隔に保持するものであることを特徴とする請求項３に記載の４可変標識。
【請求項５】
前記角筒は、スライダーを介してコアに支えられているものであり、
コアは、中心を回転軸に支えられて角筒の回転中心に設置され、回転軸と直交する方向に上下４段に開口された誘導孔を有し、
スライダーは、各誘導孔内に水平方向を進退動可能に差し込まれて、コアと角筒とを連結するものであることを特徴とする請求項１に記載の４可変標識。
【請求項６】
複数本の角筒は、１組としてケース内に並列させて１列に配列され、角筒の一面をケースの表示窓内に臨ませた状態で、各角筒の面に跨って形成される特定の標示パターンを表示窓内に表示し、
各角筒を支えるコアの回転軸は、歯車機構を介して、別途回転駆動される回転操作軸によって回転駆動されるものであることを特徴とする請求項４又は５のいずれか１つに記載の４可変標識。
【発明の詳細な説明】
【技術分野】
【０００１】
本発明は、文字や図形による４種類の標識を切り替え表示する４可変標識に関する。
【背景技術】
【０００２】
道路標識、交通標識には、パネルに交通規制や交通制御を行うための文字、図形を表示した固定式の標識のほか、２以上の標示を切り替えて表示する可変標識が用いられている。可変標識は、かつてフィルム（ポリエチレンフィルム）の面に２種類又は３種類の標識を表示し、これを表示器に内装し、フィルムを軸に巻き取ることによって、フィルムに標記された３種類の標識を切り替えて特定の標識を表示窓に表示するフィルム巻き取り方式が主として用いられてきた。
【０００３】
しかし、３可変標識の表示用のフィルムにポリエチレンフィルムを用いるときには、フィルムの巻き取りによって標識の切り替えを行うものであるため、表示窓に対する各標識の位置は、フィルムの巻き取り量によって決定され、フィルムの伸びなどに起因する巻き取り量の狂いが標識の標示のずれとなり、表示の安定性に欠け、また、耐候性に劣り、保守、管理が厄介であるという理由から、３角柱を用いた３可変標識（これを３角柱方式という）が用いられている（特許文献１，２，３参照）。
【０００４】
３角柱方式は、並列に配列された２以上の三角柱の各々の面に、特定の標識を表す文字や図形の一部を標記し、各三角柱の各面に標記された文字や図形の組合わせによって３種類の標識を構成させるものであり、各三角柱を１２０度ずつ転回させることにより、各三角柱の各面に標記された３種類の標識が切替表示するものである。
【０００５】
ところで、道路交通の規制・案内、災害時における交通の規制を行う場合には、４種類の標示切り替えが必要な場合がある。このような場合に、例えば、前記三角柱に代えて断面が正方形の四角柱を用い、複数本の四角柱を並列させた状態で各面に標示のパターンを付し、各四角柱を９０°ずつ一斉に転回させることによって、それぞれの面に表示した４種類の標示のパターンの切替表示を行うことは可能である。
【０００６】
しかしながら、 図６（ａ）に示すように、回転軸４１を中心に各四角柱４２を回転させようとすると図６（ｂ）のように転回途中で隣接する四角柱４２ａと干渉することになって９０°回転することができない。これを回転させるには、図６（ｃ）のようにそれぞれの四角柱４２、４２ａが回転可能になる位置にまで四角柱４２、４２ａの回転軸芯の軸間距離を相対的に広げなければならない。
【０００７】
かつて、上記の構想を実現して４通りの標識を現出させる４可変式の可変標識が特許文献４に記載されている。特許文献４に記載された可変標識は、図７（ａ）、（ｂ）に示すように断面形状が正方形となされ各四面がそれぞれ所定の標識の一部を構成する標識面３１として回転可能な複数の四角柱２１と、四角柱２１の両端部にそれぞれ並行に相対向して配置され、その一端がそれぞれスプリング２３に連結された二本のワイヤー部材２２あるいはカム板とクランクシャフトとの組合せを用いて、通常時は図７（ａ）に示すように相互の標識面３１を隣接させ、転回時には、図７（ｂ）に示すように各四角柱２１の相互の間隔を回転可能な間隔に拡開して駆動装置２５からの回転力を各四角柱２１に伝達させるように構成したものである。
【０００８】
しかしながら、このような構成によるときには、以下のような問題点が生じる。すなわち四角柱の回転軸芯の軸間距離を広げるとなると、四角柱の配列列方向に余分なスペースが必要となるだけでなく、四角柱の移動手段が必要となる。特許文献４では、移動手段としてワイヤー部材２２などを用いるとしているが、ワイヤー部材２２で四角柱２１を引き寄せて四角柱２１を互いに隣接させたとき、表示面同士が接しているために四角柱２１の表示面を傷つける虞がある。同様に各四角柱に動力を伝える駆動伝達機構（歯車）は、各四角柱とともに移動させてから歯車を噛み合わせるために、バックラッシの調整が困難であるだけでなく、噛み合い時に歯車の山同士がぶつかることも考えられる。
【特許文献１】公開実用昭４９−６５１７１号
【特許文献２】公開実用昭５５−８２６８６号
【特許文献３】特開２００２−２４５５９０
【特許文献４】特開平１０−２３１５０４号
【発明の開示】
【発明が解決しようとする課題】
【０００９】
解決しようとする問題点は、複数本の四角柱を用いて４可変標識を実現しようとすると、四角柱間の軸間距離を変えなければそれぞれの四角柱を転回させることができないという点である。
【課題を解決するための手段】
【００１０】
本発明は、４枚の表示板を互いにシャフトで連結して平行四辺形をなす四節回転連鎖の角筒を構成し、角筒を転回させるときに隣接相互の角筒が互いに干渉しないように平行四辺形の形状を変形させながら転回させることを最も主要な特徴とする。
【発明の効果】
【００１１】
本発明の４可変標識によれば、角筒の回転軸の位置を変えることなく定置に保持したままで隣接する角筒を互いに干渉させることなく円滑に転回させることができ、したがって、角筒の配列方向に余分なスペースは不要であり、また、角筒の表示面を傷つけることもない。さらに、各角筒は一定位置で転回させ、列方向に移動させることがないため、回転駆動用の歯車は常時噛み合わせ状態に保たれるため、バックラッシュの調整や歯の噛み合い時の歯車の山同士がぶつかるといった問題は一切生じない。
【発明を実施するための最良の形態】
【００１２】
各角筒の回転軸の位置を変えることなく定置に保持して一定位置で転回させるという目的を、４枚の表示板を回転ペアで転結して四節回転連鎖機構の角筒を構成させ、隣接する角筒の表示板の相互間に干渉を生じさせることなく、４枚の表示板によって形成される平行四辺形の形状を変形させることよって実現した。
【実施例１】
【００１３】
以下に本発明による４可変標識の実施形態を図によって説明する。本発明による４可変標識は、災害用の手動式４可変標識であり、図１（ａ）に示すように表示器１を有し、表示器１は、正面に表示窓２を有し、たとえば、路上に設立された支柱３ａに取付けられるが、或いは図１（ｂ）に示すように脚台４ｂ上に取り付けて地上に設置することもできる。４可変標識は、図２に示すように、４種類の標識、例えば、「車両通行止」の標識パターンＡと、「国民保護法に基づく訓練通行止」の標識パターンＢと、「国民保護法に基づく車両通行止」の標識パターンＣと「この通りは地震発生時には車両通行止となります」の標識パターンＤとの表示切替を行うものである。
【００１４】
図３（ａ）〜（ｃ）に表示器１の構造を示す。図３（ａ）において、表示器１は、４可変標識を構成する１組の複数本の角筒、この実施例においては６本の角筒４，４，・・・の組と角筒４の組を収容するケース５とからなっているものである。角筒４は、同じ幅、同じ長さの４枚の縦長短冊状の表示板４ａ、４ｂ、４ｃ、４ｄを筒状に組み合わせ、互いに隣接する表示板４ａ、４ｂ、４ｃ、４ｄの各両側縁をシャフト６にて一定角度転回可能に連結したものである。すなわち、機構学上、４枚の表示板は、各シャフト６を回転ペアとして結ばれた横断面が正四角形あるいは平行四辺形をなす四節回転連鎖であり、６本の角筒４を１組として、後述するように前記４枚の表示板が形成する正四角形の横断面の横幅ｄよりも広く、正四角形の対角線上の距離より狭い一定の間隔を保たせ、図１（ａ）、（ｂ）の例ではそれぞれの一面を標示窓２内に臨ませて垂直姿勢で表示器１のケース５内に１列に配列されたものである。
【００１５】
角筒４の各面には、特定の標識、図２の例では、標識パターンＡ〜Ｄのいずれかの標識パターンを表す文字や図形の一部が標記され、６本の角筒４，４，・・・の組の第１面がそろってケース５の表示窓２に向きあわされたときに例えば標識パターンＡ、第２面に標識パターンＢ、第３面に第３の標識パターンＣ、第４面に標識パターンＤが表示窓２内に現示されるものである。
【００１６】
次に本発明による４可変標識の１つの角筒４のうちの任意の１つについてその構造を示す。図４（ａ）、（ｂ）において、角筒４は、後述するスライダー７を介してコア８に支えられているものである。コア８は、中心を回転軸９に支えられて角筒４の回転中心に設置され、回転軸９と直交する方向に上下４段に開口された誘導孔１０を有し、コア８と角筒４とは、各誘導孔１０内に水平方向を進退動可能に差し込まれた４本のスライダー７によって連結されている。
【００１７】
なお、図４（ｂ）では、スライダー７が上下４段に設けられたものであることを分かりやすく示すため、４本のスライダー７，７、・・・が上下４段に水平方向を平行に配列されているように描いているが、実際には、上下４段のスライダー７は、交互に直交させて配列されているものである。すなわち、図４（ａ）との関係では、下段から順に、第１段スライダー７ａと、第３段スライダー７ｃとが紙面と平行に配列され、第２段スライダー７ｂと第４段スライダー７ｄとは、紙面に対して直角方向に配置されているものである。したがって、第２段スライダー７ｂと第４段スライダー７ｄとの組は、第１段スライダー７ａと、第３段スライダー７ｃとの組に対して水平姿勢で互いに直角方向に配列されていずれもコア８に進退動可能に保持されている。
【００１８】
一方、ケース５の上部又は下部の少なくとも一方には、図４（ａ）に示すようにシャフトガイド１１を備えている。シャフトガイド１１は、四節回転連鎖を構成する角筒４の各表示板４ａ、４ｂ、４ｃ、４ｄを回転ペアとして繋ぐ各シャフト６の移動方向を規制し、６本の角筒４の組を転回させるときに各角筒４の横断面を正四角形から平行四辺形に変形させ、隣接相互の角筒を互いに干渉させずに転回方向を誘導する溝カムである。
【００１９】
すなわち、シャフトガイド１１を形成する溝カムは、互いに隣接する２つの角筒４，４間において、それぞれ対角線上に位置する２本のシャフトの端末を受入れ、互いに隣接する角筒４，４間の間隔が、四角筒の表示板の横幅を基準とした一定の間隔を超えないように平行四辺形の形状を制御するものであり、角筒４の表示板の横幅ｄを基準に設定された平行溝部１１ａ、１１ｂを有している。平行溝部１１ａ，１１ｂの間隔は、図５に示すように前記４枚の表示板が形成する正四角形の横断面の横幅ｄよりも広く、正四角形の対角線上の距離より狭い間隔に設定されている。
【００２０】
図４（ｂ）において、回転軸９は、ケース５の軸受け（図示略）に回転可能に軸支され、回転軸９の下端にはウォームホイール１２が装着され、該ウォームホイール１２はケース５の下辺に横架させた回転操作軸１３のウォーム１４に噛み合わされている。回転操作軸１３は、図３（ｂ）に示すように方向を変換してケース５の一側に臨ませてあり、その軸端に回転工具（図示略）を差し込んで手動で回転操作するものであるが、モーターなどの動力によって回転駆動することも勿論できる。
【００２１】
本発明においては、６本の角筒４の組合せを１組としてこれをケース５内に並列させて１列に配列し、各角筒４の一面をケース５の表示窓２内に臨ませた状態で、各角筒４の面に跨って形成される特定の標示パターン（例えば標示パターンＡ）を表示窓２内に表示している。その状態から標示パターンを切り替えるとき（例えば標示パターンＡを標示パターンＢに切り替えるとき）には、手動操作或いは動力によって回転操作軸１３を１方向に回転すると、その回転力がウォーム１４及びウォームホイール１２の噛み合わせによって回転軸９に伝えられ、さらにその回転力は、コア８からスライダー７を介して角筒４に伝えられるが、角筒４の各表示板４ａ、４ｂ、４ｃ、４ｄを繋ぐ各シャフト６は、シャフトガイド１１の溝カムによって移動の方向が規制され、同時にカム溝の形状に従って各段のスライダー７のあるものは誘導孔１０内から引き出され、他のものは逆に誘導孔１０内に引き込まれながら角筒４を一方向に転回させる。
【００２２】
本発明による４可変標識の各標示パターンＡ，Ｂ，Ｃ，Ｄは、並行に配列された６本の角筒４，４，・・・の特定の面をそろえて正面の表示窓２内に表わすことによって表示されるが、説明を簡単にするため、以下に６本の角筒のうち、互いに隣接する２本の角筒のみを抽出し、隣接する２本の角筒が互いに干渉させずに転回させる動作の要領を以下に説明する。図５（ａ）は、角筒４の横断面が正方形となって、角筒４の表示板の第１面に例えば第１の標示パターンＡの一部が表示されている状態である。
【００２３】
このとき、６本の角筒４の第１面の標示パターンＡが表示窓２内に表示されているとする。図５（ｂ）は、角筒４が一定角度転回して表示板４ａ、４ｂを繋ぐシャフト６ａがθ１（０°＜θ１＜４５°）の角度に転回したときの状態である。シャフト６ａは、溝カムの一方の平行溝部１１ａからはずれ、隣り合う表示板４ｂと、対向側の表示板４ｃとを繋ぐシャフト６ｄが当該平行溝部１１ａ内に進入し、他側縁のシャフト６ｂは、溝カムの他方の平行溝部１１ｂ内を正面側から後退して角筒４の正方形は、平行四辺形に変形する。
【００２４】
図５（ｃ）は、回転軸９がさらに転回してシャフト６ａが最初からθ２（θ２＝４５°）の角度に転回したときの状態を示している。このとき両シャフト６ｂ、６ｄは、それぞれ溝カムの平行溝部１１ａ又は平行溝部１１ｂの中間に位置し、シャフト６ａと、シャフト６ａの対角線上にあるシャフト６ｃとを結ぶ線は、溝カムの両平行溝部１１ａ、１１ｂ間の中央線上にあって、シャフト６ｂ、６ｄを結ぶ線と直交し、角筒４は、正面から見て左右対称の平行四辺形になる。
【００２５】
図５（ｄ）は、回転軸９がさらに転回してシャフト６ａがθ３（４５°＜θ３＜９０°）の角度に転回したときの状態を示している。このときシャフト６ａは、平行溝部１１に進入直前となり、角筒の横断面は、正方形に近い平行四辺形に変形する。次にシャフト６ａが、最初から９０°転回したときに、表示板４ａは側方を向き、次の表示板４ｂが正面に位置して表示窓２内に現される。いずれの状態であっても、互いに隣接する角筒４，４間にあって、対向線上に位置する２本のシャフト（図５の例ではシャフト６ｂ、６ｄ）は、それぞれ溝カムの平行溝部１１ａ、１１ｂ内にあって、予め規制された角筒の横幅ｄを越えることがなく、したがって、隣接する角筒がその転回途中で相互に干渉することがない。以上の要領でそれぞれの角筒を一斉に９０°ずつ転回させることによって、各組の角筒４の四面に跨って表示された標示パターンＡ，Ｂ，Ｃ，Ｄは、順次切替えられる。以上実施例においては、縦長の表示器１内に複数本の角筒を垂直姿勢で左右方向に並列に設置して４種類の標示パターンを形成する例を説明したが、各角筒は表示器内に水平姿勢で上下方向に配列して標示パターンを形成することもできる。また、表示器は、縦長に使用するだけでなく横長に使用することもできる。
【産業上の利用可能性】
【００２６】
本発明は、４種類の標識パターンの切替が必要とされる災害用の手動式４可変標識として開発されたものであるが、必ずしも災害用の標識に限らず、一般の道路標識、交通標識、鉄道標識などのほか、広告用の標識としても広く利用することができる。
【図面の簡単な説明】
【００２７】
【図１】（ａ）は、本発明の４可変標識を支柱に設置した例を例を示す図、（ｂ）は、脚台４ｂ上に取り付けて地上に設置した例を示す図である。
【図２】（ａ）〜（ｄ）は、標示パターンの例を示す図である。
【図３】本発明による４可変標識を組み込んだ表示器を示すもので、（ａ）は一部断面正面図、（ｂ）は底面図、（ｃ）は側面図である。
【図４】角筒の拡大図で、（ａ）は、横断面図、（ｂ）は縦断面図、（ｃ）は操作軸と歯車機構の関係を示す（ｂ）のＥ−Ｅ線断面図である。
【図５】（ａ）〜（ｄ）は角筒の転回時に角筒断面形状の変化を示す図である。
【図６】（ａ）、（ｂ）は四角柱の転回によって干渉が生じる様子を示す図である。
【図７】（ａ）、（ｂ）は特許文献４に記載された４可変標識の動作を示す図である。
【符号の説明】
【００２８】
１  表示器
２  表示窓
３  支柱
４  角筒
４ａ、４ｂ、４ｃ、４ｄ  表示板
５  ケース
６，６ａ，６ｂ，６ｃ，６ｄ  シャフト
７，７ａ，７ｂ，７ｃ，７ｄ  スライダー
８  コア
９  回転軸
１０  誘導孔
１１  シャフトガイド
１１ａ，１１ｂ  平行溝部
１２  ウォームホイール
１３  回転操作軸
１４  ウォーム
【図１】
2008095284.tif 000003
【図２】
2008095284.tif 000004
【図３】
2008095284.tif 000005
【図４】
2008095284.tif 000006
【図５】
2008095284.tif 000007
【図６】
2008095284.tif 000008
【図７】
2008095284.tif 000009